(57)【要約】      （修正有）【課題】冷却ファンが電力変換装置本体部に取り付けられた後に、リード線が冷却ファンの羽根部に接触するのを抑制することが可能な電力変換装置を提供する。【解決手段】電力変換装置１は、電力変換装置本体部１０と、電力変換装置本体部１０の収納部１５に配置される冷却ファン２０と、冷却ファン２０を電力変換装置本体部１０の収納部１５に取り付けるための取付部材３０と、取付部材３０に取り付けられ、冷却ファン２０のリード線２１を冷却ファン２０の羽根部から保護するための保護部材４０と、を備える。【選択図】図２
2018196160.tif 000002
【特許請求の範囲】
【請求項１】
電力変換装置本体部と、
前記電力変換装置本体部の収納部に配置される冷却ファンと、
前記冷却ファンを前記電力変換装置本体部の前記収納部に取り付けるための取付部材と、
前記取付部材に取り付けられ、前記冷却ファンのリード線を前記冷却ファンの羽根部から保護するための保護部材と、を備える、電力変換装置。
【請求項２】
前記保護部材には、前記冷却ファンの前記リード線のコネクタ部を固定する固定部が設けられている、請求項１に記載の電力変換装置。
【請求項３】
前記コネクタ部には、第１係合部が設けられ、
前記固定部には、前記コネクタ部の前記第１係合部が係合する第２係合部が設けられている、請求項２に記載の電力変換装置。
【請求項４】
前記固定部の前記第２係合部の近傍には、前記固定部に固定された前記コネクタ部に係合して、前記固定部から前記コネクタ部が脱落するのを防止するための脱落防止用係合部が設けられている、請求項３に記載の電力変換装置。
【請求項５】
前記コネクタ部の前記第１係合部は、第１凸部を含み、
前記固定部の前記第２係合部は、前記第１凸部がスライド移動されることにより係合される溝部を含む、請求項３または４に記載の電力変換装置。
【請求項６】
前記保護部材には、前記リード線を前記保護部材に巻き付けるための第１凹部が設けられている、請求項２〜５のいずれか１項に記載の電力変換装置。
【請求項７】
前記保護部材の先端部には、前記冷却ファンに電力を供給する電力供給線を前記保護部材に引っ掛けるための第２凹部が設けられている、請求項２〜６のいずれか１項に記載の電力変換装置。
【請求項８】
前記保護部材は、前記冷却ファンが前記取付部材により前記電力変換装置本体部の前記収納部に取り付けられた状態で、前記収納部の内面に沿うように前記取付部材に設けられており、
前記固定部は、前記保護部材の前記収納部の前記内面側に設けられている、請求項２〜７のいずれか１項に記載の電力変換装置。
【請求項９】
前記冷却ファンは、複数設けられ、
前記保護部材は、複数の前記冷却ファンの各々に対応するように複数設けられ、
複数の前記保護部材は、前記冷却ファンが前記取付部材により前記電力変換装置本体部の前記収納部に取り付けられた状態で、前記収納部の内面に沿うように設けられている、請求項１〜８のいずれか１項に記載の電力変換装置。
【請求項１０】
前記保護部材には、通風穴が設けられている、請求項１〜９のいずれか１項に記載の電力変換装置。
【発明の詳細な説明】
【技術分野】
【０００１】
この発明は、電力変換装置に関し、特に、冷却ファンを備える電力変換装置に関する。
【背景技術】
【０００２】
従来、冷却ファンを備える電力変換装置が知られている（たとえば、特許文献１参照）。
【０００３】
上記特許文献１には、冷却ファンを備えるインバータ装置が開示されている。このインバータ装置は、インバータ本体と、冷却ファンと、冷却ファンをインバータ本体に取り付けるための取付部材とを備えている。取付部材は、冷却ファンの前面および側面を覆うように構成されている。そして、取付部材に保持された状態の冷却ファンを、インバータ本体の開口部からインバータ本体の内部に挿入する。これにより、取付部材のスナップフィット構造を有する保持部が、インバータ本体の溝穴に係合することにより、取付部材に保持された状態の冷却ファンがインバータ本体に取り付けられる。
【０００４】
ここで、一般的に、冷却ファンには、冷却ファンに電力を供給するためのリード線が設けられている。そして、リード線には、インバータ本体から電力を供給するための電力供給線が接続される。また、リード線と電力供給線とは、リード線の先端に取り付けられたコネクタ部と、電力供給線の先端に取り付けられたコネクタ部とが接続されることにより、電気的に接続される。そして、予め、リード線のコネクタ部と電力供給線のコネクタ部とが接続された状態で、取付部材に保持された状態の冷却ファンがインバータ本体に取り付けられる。
【先行技術文献】
【特許文献】
【０００５】
【特許文献１】特開２０１５−１４６６８０号公報
【発明の概要】
【発明が解決しようとする課題】
【０００６】
しかしながら、上記特許文献１に記載のような従来のインバータ装置では、リード線のコネクタ部と電力供給線のコネクタ部とが接続されており、リード線および電力供給線が比較的長い場合には、冷却ファンがインバータ本体（電力変換装置本体部）に取り付けられた後に、リード線および電力供給線が撓んで、リード線が冷却ファンの羽根部に接触する場合があるという問題点がある。
【０００７】
この発明は、上記のような課題を解決するためになされたものであり、この発明の１つの目的は、冷却ファンが電力変換装置本体部に取り付けられた後に、リード線が冷却ファンの羽根部に接触するのを抑制することが可能な電力変換装置を提供することである。
【課題を解決するための手段】
【０００８】
上記目的を達成するために、この発明の一の局面による電力変換装置は、電力変換装置本体部と、電力変換装置本体部の収納部に配置される冷却ファンと、冷却ファンを電力変換装置本体部の収納部に取り付けるための取付部材と、取付部材に取り付けられ、冷却ファンのリード線を冷却ファンの羽根部から保護するための保護部材と、を備える。
【０００９】
この発明の一の局面による電力変換装置では、上記のように、取付部材に取り付けられ、冷却ファンのリード線を冷却ファンの羽根部から保護するための保護部材を備える。これにより、冷却ファンが電力変換装置本体部に取り付けられた後に、保護部材により、冷却ファンの羽根部からリード線が保護されるので、リード線が冷却ファンの羽根部に接触するのを抑制することができる。その結果、リード線が冷却ファンによって切断されることや、リード線が冷却ファンに噛み込むなどに起因して、電力変換装置の品質（冷却性能）が劣化する（装置によって品質がばらつく）のを防止することができる。
【００１０】
また、保護部材により冷却ファンのリード線が冷却ファンから保護されているので、冷却ファンを電力変換装置本体部に取り付ける際に、リード線が冷却ファンの羽根部に噛み込まれるのを抑制することができる。これにより、冷却ファンの取付作業性を向上させることができる。
【００１１】
上記一の局面による電力変換装置において、好ましくは、保護部材には、冷却ファンのリード線のコネクタ部を固定する固定部が設けられている。このように構成すれば、保護部材にリード線のコネクタ部が固定されるので、冷却ファンを電力変換装置本体部に取り付ける際に、リード線が電力変換装置本体部の収納部からはみ出すのを抑制することができるとともに、冷却ファンの羽根部にリード線が噛み込むことをより抑制することができる。これにより、作業者がリード線のはみ出しおよび噛み込みを抑制するように冷却ファンの取り付け作業を慎重に行う必要がないので、冷却ファンの取り付け作業の作業性を向上させることができる。また、リード線が固定されていない場合、作業者がリード線を把持（支持）した状態で、冷却ファンを電力変換装置本体部に取り付ける必要があるため、作業者がリード線を把持する工程（作業）の分、工程数が増加する（手間がかかる）。また、リード線が電力変換装置本体部と冷却ファン（取付部材）との間の隙間に挟み込まれた場合、挟み込まれたリード線を取り外す工程（作業）が必要になる。そこで、本発明では、保護部材にリード線を固定することによって、工程数（手間）が増加するのを抑制することができる。その結果、冷却ファンの取り付け時間を短縮することができる。
【００１２】
この場合、好ましくは、コネクタ部には、第１係合部が設けられ、固定部には、コネクタ部の第１係合部が係合する第２係合部が設けられている。このように構成すれば、固定部にコネクタ部を容易に固定（係合）することができる。
【００１３】
上記コネクタ部に第１係合部が設けられる電力変換装置において、好ましくは、固定部の第２係合部の近傍には、固定部に固定されたコネクタ部に係合して、固定部からコネクタ部が脱落するのを防止するための脱落防止用係合部が設けられている。このように構成すれば、固定部に一旦固定されたコネクタ部が、固定部から脱落するのを脱落防止用係合部により防止することができるので、コネクタ部（リード線）が脱落することに起因する作業性の低下を抑制することができる。
【００１４】
この場合、好ましくは、コネクタ部の第１係合部は、第１凸部を含み、固定部の第２係合部は、第１凸部がスライド移動されることにより係合される溝部を含む。このように構成すれば、第１凸部をスライド移動させるだけで、容易に、第１凸部を溝部に係合させることができる。
【００１５】
上記保護部材に固定部が設けられている電力変換装置において、好ましくは、保護部材には、リード線を保護部材に巻き付けるための第１凹部が設けられている。このように構成すれば、リード線が保護部材の第１凹部に巻き付けられるので、冷却ファンを電力変換装置本体部に取り付ける際に、リード線が電力変換装置本体部の収納部からはみ出すこと、および、冷却ファンの羽根部にリード線が噛み込むことを、より抑制することができる。
【００１６】
上記保護部材に固定部が設けられている電力変換装置において、好ましくは、保護部材の先端部には、冷却ファンに電力を供給する電力供給線を保護部材に引っ掛けるための第２凹部が設けられている。このように構成すれば、冷却ファンを電力変換装置本体部の収納部に取り付ける際に保護部材の第２凹部に電力供給線が引っ掛けられるので、電力供給線が電力変換装置本体部の収納部からはみ出すことを抑制することができる。
【００１７】
上記保護部材に固定部が設けられている電力変換装置において、好ましくは、保護部材は、冷却ファンが取付部材により電力変換装置本体部の収納部に取り付けられた状態で、収納部の内面に沿うように取付部材に設けられており、固定部は、保護部材の収納部の内面側に設けられている。このように構成すれば、リード線部のコネクタ部が、保護部材の冷却ファンとは反対側に配置されるので、リード線部のコネクタ部に接続される電力供給線が冷却ファンに噛み込まれるのを抑制することができる。
【００１８】
上記一の局面による電力変換装置において、好ましくは、冷却ファンは、複数設けられ、保護部材は、複数の冷却ファンの各々に対応するように複数設けられ、複数の保護部材は、冷却ファンが取付部材により電力変換装置本体部の収納部に取り付けられた状態で、収納部の内面に沿うように設けられている。このように構成すれば、保護部材が収納部の中央部に配置される場合と異なり、保護部材が冷却ファンによって送風される風の妨げになるのを抑制することができる。
【００１９】
上記一の局面による電力変換装置において、好ましくは、保護部材には、通風穴が設けられている。このように構成すれば、保護部材が冷却ファンによって送風される風の妨げになるのを通風穴により抑制することができる。また、保護部材に通風穴を設けない場合と比べて、保護部材の重量を軽くすることができる。
【発明の効果】
【００２０】
本発明によれば、上記のように、冷却ファンが電力変換装置本体部に取り付けられた後に、リード線が冷却ファンの羽根部に接触するのを抑制することができる。
【図面の簡単な説明】
【００２１】
【図１】一実施形態による電力変換装置の斜視図である。
【図２】一実施形態による電力変換装置の斜視図（冷却ファンを取り付ける前の状態）である。
【図３】一実施形態による電力変換装置の上面図である。
【図４】冷却ファンを取付部材に取り付ける前の状態を示す図である。
【図５】保護部材の正面図である。
【図６】図５の２００−２００線に沿った断面図である。
【図７】コネクタ部の斜視図である。
【図８】冷却ファンが取付部材に取り付けられた状態を示す図である。
【図９】リード線を保護部材に巻き付ける状態を示す図（１）である。
【図１０】リード線を保護部材に巻き付ける状態を示す図（２）である。
【図１１】コネクタ部を固定部に固定する状態を示す図である。
【図１２】コネクタ部が固定部に固定された状態を示す図である。
【図１３】冷却ファンを収納部に挿入する前の状態を示す図である。
【図１４】冷却ファンを収納部に挿入している状態を示す図である。
【図１５】一実施形態の変形例による電力変換装置の斜視図である。
【発明を実施するための形態】
【００２２】
以下、本発明を具体化した実施形態を図面に基づいて説明する。
【００２３】
図１〜図１４を参照して、本実施形態による電力変換装置１の構成について説明する。電力変換装置１は、たとえば、入力された交流の電力を設定された交流の電力に変換して出力するインバータ装置からなる。また、図１〜図３では、上側筐体１３の一部が取り除かれた状態を示している。
【００２４】
（電力変換装置の全体構成）
図１に示すように、電力変換装置１は、電力変換装置本体部１０を備えている。電力変換装置本体部１０の内部には、電力変換素子（図示せず）を含む電力変換回路１１（図２参照）や、電力変換回路１１を冷却する冷却部１２などが収納されている。具体的には、電力変換回路１１は、電力変換装置本体部１０の上側筐体１３の内部に配置されている。また、冷却部１２は、電力変換装置本体部１０の下側筐体１４の内部に配置されている。
【００２５】
また、図２に示すように、電力変換装置１は、電力変換装置本体部１０の収納部１５に配置される冷却ファン２０を備えている。冷却ファン２０は、冷却部１２に通風することにより、電力変換回路１１から発熱された熱を放熱するように構成されている。また、冷却ファン２０は、複数（本実施形態では、２つ）設けられている。２つの冷却ファン２０は、互いにＸ方向に隣接するように、下側筐体１４（収納部１５）に配置されている。また、２つの冷却ファン２０と、冷却部１２とは、Ｙ方向に隣接するように配置されている。
【００２６】
また、図４に示すように、冷却ファン２０には、冷却ファン２０に電力を供給するためのリード線２１が設けられている。また、リード線２１の先端には、コネクタ部２２が設けられている。コネクタ部２２は、電力変換装置本体部１０から延びる電力供給線１６（図３参照）のコネクタ部１７（図２参照）が接続されるように構成されている。なお、図４および図８〜図１０では、コネクタ部２２を簡略化して記載している。
【００２７】
また、図７に示すように、コネクタ部２２は、電力供給線１６のコネクタ部１７が接続される角柱形状の本体部２２ａと、作業者が手で把持する滑り止めのローレットが形成された把持部２２ｂとを有する。また、本実施形態では、コネクタ部２２には、一対の凸部２２ｃが設けられている。一対の凸部２２ｃは、本体部２２ａの両側（図１２参照）に設けられている。なお、凸部２２ｃは、特許請求の範囲の「第１凸部」および「第１係合部」の一例である。
【００２８】
また、図２に示すように、電力変換装置１は、冷却ファン２０を電力変換装置本体部１０の収納部１５に取り付けるための取付部材３０を備えている。取付部材３０は、たとえば、樹脂などにより形成されている。また、取付部材３０は、平板形状を有する。また、取付部材３０には、通風穴３１が設けられている。
【００２９】
また、図４に示すように、取付部材３０には、複数の凸部３２が設けられている。また、取付部材３０には、複数の爪部３３が設けられている。そして、取付部材３０の凸部３２に、冷却ファン２０の穴部２０ｂが挿入されるとともに、爪部３３が冷却ファン２０の表面２０ａに係合することにより、冷却ファン２０が取付部材３０に固定される。
【００３０】
また、取付部材３０には、通風穴３１が設けられる平板形状の部分に交差するように、爪部３４が設けられている。そして、爪部３４が収納部１５の係合部（図示せず）に係合することにより、冷却ファン２０が収納部１５に固定（図１４参照）される。
【００３１】
ここで、本実施形態では、電力変換装置１は、冷却ファン２０のリード線２１を冷却ファン２０の羽根部２０ｃから保護するための保護部材４０を備えている。保護部材４０は、取付部材３０に取り付けられている。図５に示すように、保護部材４０には、一対の爪部４１が設けられている。そして、爪部４１が取付部材３０に係合することにより、保護部材４０が取付部材３０に取り付けられている。また、保護部材４０は、たとえば、樹脂などにより形成されている。
【００３２】
また、本実施形態では、図２に示すように、保護部材４０は、冷却ファン２０が取付部材３０により電力変換装置本体部１０の収納部１５に取り付けられた状態で、収納部１５の内面１５ａに沿うように取付部材３０に設けられている。また、保護部材４０は、複数（本実施形態では２つ）の冷却ファン２０の各々に対応するように複数（本実施形態では２つ）設けられている。２つの保護部材４０（保護部材４０ａおよび４０ｂ）は、取付部材３０のＸ方向の一方端と他方端とに設けられている。そして、２つの保護部材４０ａおよび４０ｂは、冷却ファン２０が取付部材３０により電力変換装置本体部１０の収納部１５に取り付けられた状態で、収納部１５の内面１５ａに沿うように設けられている。具体的には、保護部材４０ａは、収納部１５の内側面１８ａに沿うように設けられ、保護部材４０ｂは、収納部１５の内側面１８ｂに沿うように設けられている。
【００３３】
また、本実施形態では、図２に示すように、保護部材４０には、冷却ファン２０のリード線２１のコネクタ部２２を固定する固定部４２が設けられている。また、固定部４２は、保護部材４０の収納部１５の内面１５ａ側に設けられている。つまり、固定部４２は、保護部材４０の冷却ファン２０側とは反対側に設けられている。これにより、固定部４２に固定されたコネクタ部２２と冷却ファン２０とは、保護部材４０により仕切られる。
【００３４】
また、本実施形態では、図６に示すように、固定部４２には、コネクタ部２２の凸部２２ｃが係合する溝部４３が設けられている。溝部４３は、一対の凸部２２ｃに対応するように一対設けられている。そして、コネクタ部２２の凸部２２ｃがスライド移動されることにより溝部４３に係合する。これにより、固定部４２にコネクタ部２２が固定される。なお、溝部４３は、特許請求の範囲の「第２係合部」の一例である。
【００３５】
また、本実施形態では、固定部４２の溝部４３の近傍には、固定部４２に固定されたコネクタ部２２に係合して、固定部４２からコネクタ部２２が脱落するのを防止するための凸部４４が設けられている。具体的には、凸部４４は、溝部４３の近傍において、溝部４３が延びるＡ方向と略直交する方向に突出するように形成されている。また、凸部４４は、一対の溝部４３のうちの一方側（溝部４３ｂ）の近傍にのみ設けられている。また、一対の溝部４３のうちの凸部４４が設けられない他方側の溝部４３ａの近傍の、コネクタ部２２が挿入される側の入り口部分４５は、溝部４３が延びる方向（Ａ方向）に交差するように、Ｂ方向に沿って傾斜するように形成されている。なお、溝部４３ａおよび４３ｂは、特許請求の範囲の「第２係合部」の一例である。また、凸部４４は、特許請求の範囲の「脱落防止用係合部」の一例である。
【００３６】
そして、コネクタ部２２を、溝部４３対して交差するようにＢ方向に沿って溝部４３に挿入した後、コネクタ部２２は、溝部４３が延びるＡ方向に沿って挿入される。その後、コネクタ部２２の角柱形状の本体部２２ａの背面側（挿入方向と反対側）に凸部４４が係合（図１２参照）する。これにより、固定部４２に固定された後に、コネクタ部２２が固定部４２から脱落するのを防止することが可能になる。
【００３７】
また、本実施形態では、図５に示すように、保護部材４０には、リード線２１を保護部材４０に巻き付けるための凹部４６が設けられている。そして、コネクタ部２２は、リード線２１が保護部材４０の凹部４６に巻き付けられた状態で固定部４２に固定（図１２参照）されている。具体的には、凹部４６は、保護部材４０の根元側（取付部材３０に近い側）に設けられている。また、凹部４６は、保護部材４０の両側面にそれぞれ（凹部４６ａ、凹部４６ｂ）設けられている。また、凹部４６は、保護部材４０の中央側に向かって窪むように形成されている。また、凹部４６は、略Ｖ字形状を有する。また、凹部４６ｂは、凹部４６ａよりも大きい。なお、凹部４６、４６ａおよび４６ｂは、特許請求の範囲の「第１凹部」の一例である。
【００３８】
また、本実施形態では、保護部材４０の先端部（冷却ファン２０を収納部１５に挿入するＹ方向側の端部）には、冷却ファン２０を電力変換装置本体部１０の収納部１５に取り付ける際に、冷却ファン２０に電力を供給する電力供給線１６を保護部材４０に引っ掛けるための凹部４７が設けられている。具体的には、保護部材４０の先端部には、冷却ファン２０を収納部１５に挿入するＹ方向側に向かって突出する一対の凸部４８が設けられており、一対の凸部４８の間に凹部４７が形成されている。そして、一対の凸部４８の間に、電力供給線１６が引っ掛けられる（図１４参照）。また、凹部４７は、略Ｕ字形状を有し、凸部４８は、略台形形状を有する。なお、凹部４７は、特許請求の範囲の「第２凹部」の一例である。
【００３９】
また、本実施形態では、保護部材４０には、冷却ファン２０によって送風される風を通風するための通風穴４９が設けられている。具体的には、保護部材４０は、骨組み形状を有し、骨組みの間に複数の通風穴４９が設けられている。また、通風穴４９が設けられることにより、保護部材４０が軽量化されている。
【００４０】
次に、図８〜図１４を参照して、冷却ファン２０の取り付け方法について説明する。
【００４１】
図８に示すように、取付部材３０に２つの冷却ファン２０が取り付けられる。
【００４２】
次に、図９および図１０に示すように、冷却ファン２０のリード線２１が、保護部材４０の外側（冷却ファン２０側とは反対側）から内側に向かって、保護部材４０の凹部４６に巻き付けられる。
【００４３】
そして、図１１に示すように、コネクタ部２２が、溝部４３が延びるＡ方向（図６参照）に対して交差するように（Ｂ方向に沿うように）、入り口部分４５から溝部４３にスライド移動される。そして、図１２に示すように、コネクタ部２２が固定部４２のＡ方向側の端部に到達することにより、コネクタ部２２の本体部２２ａの背面側に凸部４４が係合する。これにより、コネクタ部２２が固定部４２に固定される。
【００４４】
次に、図１３に示すように、固定部４２に固定された状態のコネクタ部２２に、電力変換装置本体部１０から延びる電力供給線１６のコネクタ部１７が接続される。なお、ここまでの動作は、保護部材４０ａと保護部材４０ｂとの両方において同様に行われる。
【００４５】
次に、図１４に示すように、冷却ファン２０のコネクタ部２２に、電力供給線１６のコネクタ部１７が接続された状態で、冷却ファン２０が電力変換装置本体部１０の収納部１５に挿入される。この際、保護部材４０の凹部４７に電力供給線１６が引っ掛けられた状態で、冷却ファン２０が収納部１５に挿入される。これにより、電力供給線１６が収納部１５からはみ出すことが抑制されるので、作業者がはみ出した電力供給線１６を収納部１５内に戻す必要がない。
【００４６】
最後に、取付部材３０の爪部３４が収納部１５の係合部（図示せず）に係合することにより、冷却ファン２０が収納部１５に取り付けられる。
【００４７】
（本実施形態の効果）
本実施形態では、以下のような効果を得ることができる。
【００４８】
本実施形態では、上記のように、取付部材３０に取り付けられ、冷却ファン２０のリード線２１を冷却ファン２０の羽根部２０ｃから保護するための保護部材４０を備える。これにより、冷却ファン２０が電力変換装置本体部１０に取り付けられた後に、保護部材４０により、冷却ファン２０の羽根部２０ｃからリード線２１が保護されるので、リード線２１が冷却ファン２０の羽根部２０ｃに接触するのを抑制することができる。その結果、リード線２１が冷却ファン２０によって切断されることや、リード線２１が冷却ファン２０に噛み込むなどに起因して、電力変換装置１の品質（冷却性能）が劣化する（装置によって品質がばらつく）のを防止することができる。
【００４９】
また、保護部材４０により冷却ファン２０のリード線２１が冷却ファン２０から保護されているので、冷却ファン２０を電力変換装置本体部１０に取り付ける際に、リード線２１が冷却ファン２０の羽根部２０ｃに噛み込まれるのを抑制することができる。これにより、冷却ファン２０の取付作業性を向上させることができる。
【００５０】
また、本実施形態では、上記のように、保護部材４０には、冷却ファン２０のリード線２１のコネクタ部２２を固定する固定部４２が設けられている。これにより、保護部材４０にリード線２１のコネクタ部２２が固定されるので、冷却ファン２０を電力変換装置本体部１０に取り付ける際に、リード線２１が電力変換装置本体部１０の収納部１５からはみ出すのを抑制することができるとともに、冷却ファン２０の羽根部２０ｃにリード線２１が噛み込むことをより抑制することができる。その結果、作業者がリード線２１のはみ出しおよび噛み込みを抑制するように冷却ファン２０の取り付け作業を慎重に行う必要がないので、冷却ファン２０の取り付け作業の作業性を向上させることができる。また、リード線２１が固定されていない場合、作業者がリード線２１を把持（支持）した状態で、冷却ファン２０を電力変換装置本体部１０に取り付ける必要があるため、作業者がリード線２１を把持する工程（作業）の分、工程数が増加する（手間がかかる）。また、リード線２１が電力変換装置本体部１０と冷却ファン２０（取付部材３０）との間の隙間に挟み込まれた場合、挟み込まれたリード線２１を取り外す工程（作業）が必要になる。そこで、本実施形態では、保護部材４０にリード線２１を固定することによって、工程数（手間）が増加するのを抑制することができる。その結果、冷却ファン２０の取り付け時間を短縮することができる。
【００５１】
また、本実施形態では、上記のように、コネクタ部２２には、凸部２２ｃが設けられ、固定部４２には、コネクタ部２２の凸部２２ｃが係合する溝部４３が設けられている。これにより、固定部４２にコネクタ部２２を容易に固定（係合）することができる。
【００５２】
また、本実施形態では、上記のように、固定部４２の溝部４３の近傍には、固定部４２に固定されたコネクタ部２２に係合して、固定部４２からコネクタ部２２が脱落するのを防止するための凸部４４が設けられている。これにより、固定部４２に一旦固定されたコネクタ部２２が、固定部４２から脱落するのを凸部４４により防止することができるので、コネクタ部２２（リード線２１）が脱落することに起因する作業性の低下を抑制することができる。
【００５３】
また、本実施形態では、上記のように、固定部４２は、凸部２２ｃがスライド移動されることにより係合される溝部４３を含む。これにより、凸部２２ｃをスライド移動させるだけで、容易に、凸部２２ｃを溝部４３に係合させることができる。
【００５４】
また、本実施形態では、上記のように、保護部材４０には、リード線２１を保護部材４０に巻き付けるための凹部４６が設けられている。これにより、リード線２１が保護部材４０の凹部４６に巻き付けられるので、冷却ファン２０を電力変換装置本体部１０に取り付ける際に、リード線２１が電力変換装置本体部１０の収納部１５からはみ出すこと、および、冷却ファン２０の羽根部２０ｃにリード線２１が噛み込むことを、より抑制することができる。
【００５５】
また、本実施形態では、上記のように、保護部材４０の先端部には、冷却ファン２０に電力を供給する電力供給線１６を保護部材４０に引っ掛けるための凹部４７が設けられている。これにより、冷却ファン２０を電力変換装置本体部１０の収納部１５に取り付ける際に保護部材４０の凹部４７に電力供給線１６が引っ掛けられるので、電力供給線１６が電力変換装置本体部１０の収納部１５からはみ出すことを抑制することができる。
【００５６】
また、本実施形態では、上記のように、保護部材４０は、冷却ファン２０が取付部材３０により電力変換装置本体部１０の収納部１５に取り付けられた状態で、収納部１５の内面１５ａに沿うように取付部材３０に設けられており、固定部４２は、保護部材４０の収納部１５の内面１５ａ側に設けられている。これにより、リード線２１のコネクタ部２２が、保護部材４０の冷却ファン２０とは反対側に配置されるので、リード線２１のコネクタ部２２に接続される電力供給線１６が冷却ファン２０に噛み込まれるのを抑制することができる。
【００５７】
また、本実施形態では、上記のように、複数の保護部材４０は、冷却ファン２０が取付部材３０により電力変換装置本体部１０の収納部１５に取り付けられた状態で、収納部１５の内面１５ａに沿うように設けられている。これにより、保護部材４０が収納部１５の中央部に配置される場合と異なり、保護部材４０が冷却ファン２０によって送風される風の妨げになるのを抑制することができる。
【００５８】
また、本実施形態では、上記のように、保護部材４０には、通風穴４９が設けられている。これにより、保護部材４０が冷却ファン２０によって送風される風の妨げになるのを通風穴４９により抑制することができる。また、保護部材４０に通風穴４９を設けない場合と比べて、保護部材４０の重量を軽くすることができる。
【００５９】
[変形例]
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００６０】
たとえば、上記実施形態では、保護部材４０に固定部４２が設けられている例について示したが、本発明はこれに限られない。たとえば、保護部材４０に固定部４２が設けられていなくてもよい。
【００６１】
また、上記実施形態では、コネクタ部２２に凸部２２ｃが設けられ、固定部４２に溝部４３が設けられる例について示したが、本発明はこれに限られない。たとえば、コネクタ部２２に溝部が設けられ、固定部４２に凸部が設けられていてもよい。
【００６２】
また、上記実施形態では、凸部２２ｃと溝部４３とが係合することにより、コネクタ部２２を固定部４２に固定する例について示したが、本発明はこれに限られない。たとえば、凸部２２ｃおよび溝部４３以外の構成によってコネクタ部２２を固定部４２に固定してもよい。
【００６３】
また、上記実施形態では、固定部４２に脱落防止用の凸部４４が設けられる例について示したが、本発明はこれに限られない。たとえば、固定部に脱落防止用の凹部を設けるとともに、この凹部に係合する凸部をコネクタ部に設けてもよい。
【００６４】
また、上記実施形態では、冷却ファン２０が２つ設けられる例について示したが、本発明はこれに限られない。たとえば、図１５に示す変形例による電力変換装置１００のように、冷却ファン２０を２つ以上（たとえば、３つ）設けてもよい。この場合、保護部材１４０は、冷却ファン２０の数に対応するように３つ設けられる。そして、３つの保護部材１４０ａ、１４０ｂおよび１４０ｃは、それぞれ、収納部１５の内面１５ａに沿うように設けられる。具体的には、保護部材１４０ａおよび１４０ｂは、それぞれ、収納部１５の内側面１８ａおよび１８ｂに沿うように設けられる。また、保護部材１４０ｃは、収納部１５の内低面１８ｃ（または、内上面１８ｄ）に沿うように設けられる。
【００６５】
また、上記実施形態では、取付部材３０と保護部材４０とが別体として設けられる例について示したが、本発明はこれに限られない。たとえば、取付部材３０と保護部材４０とを一体的に形成してもよい。
【符号の説明】
【００６６】
１、１００  電力変換装置
１０  電力変換装置本体部
１５  収納部
１５ａ  内面
１６  電力供給線
２０  冷却ファン
２０ｃ  羽根部
２１  リード線
２２  コネクタ部
２２ｃ  凸部（第１凸部、第１係合部）
３０  取付部材
４０、４０ａ、４０ｂ、１４０、１４０ａ、１４０ｂ、１４０ｃ  保護部材
４２  固定部
４３、４３ａ、４３ｂ  溝部（第２係合部）
４４  凸部（脱落防止用係合部）
４６、４６ａ、４６ｂ  凹部（第１凹部）
４７  凹部（第２凹部）
４９  通風穴
【図１】
2018196160.tif 000003
【図２】
2018196160.tif 000004
【図３】
2018196160.tif 000005
【図４】
2018196160.tif 000006
【図５】
2018196160.tif 000007
【図６】
2018196160.tif 000008
【図７】
2018196160.tif 000009
【図８】
2018196160.tif 000010
【図９】
2018196160.tif 000011
【図１０】
2018196160.tif 000012
【図１１】
2018196160.tif 000013
【図１２】
2018196160.tif 000014
【図１３】
2018196160.tif 000015
【図１４】
2018196160.tif 000016
【図１５】
2018196160.tif 000017